(57)【要約】      （修正有）【課題】熱交換器に付着した汚れや埃を除去可能であり、熱交換チューブの放熱効果が更に良くなり、エネルギーのロスを更に低減可能であり、設備の使用寿命が更に長くなる熱交換器を提供する。【解決手段】複数の熱交換チューブ１３は互いに平行しており、その両端に前固定プレートと後固定プレートとがそれぞれ設けてあり、清掃装置２０は、熱交換器に設けられ、熱交換チューブ１３の間に移動可能であり、移動プレート２１と、複数のスクレーパ２２と、少なくとも二つの止めプレート２３を含み、移動プレート２１の内部には移動プレート２１に貫通した収容穴２１０が複数に開設してあり、複数の収容穴２１０にはスクレーパ２２および熱交換チューブ１３がそれぞれ収容してあり、移動プレート２１の両側に止めプレート２３がそれぞれ設けてある。【選択図】図２
0003140954.tif 000002
【実用新案登録請求の範囲】
【請求項１】
複数の熱交換チューブと、清掃装置を含む熱交換器において、
前記複数の熱交換チューブは、互いに平行しており、その両端に前固定プレートと後固定プレートとがそれぞれ設けてあり、
前記清掃装置は、熱交換器に設けられ、前記熱交換チューブの間に移動可能であり、移動プレートと、複数のスクレーパと、少なくとも二つの止めプレートを含み、前記移動プレートの内部には前記移動プレートを貫通した収容穴が複数に開設してあり、前記複数の収容穴にはスクレーパおよび熱交換チューブがそれぞれ収容してあり、前記移動プレートの両側に止めプレートがそれぞれ設けてあり、前記各止めプレートには前記移動プレートの収容穴の位置および数量に対応する貫通孔が開設してあり、前記貫通孔の直径は前記収容穴の直径よりも小さく、これにより、前記各スクレーパが前記二つの止めプレートに拘束されることを特徴とする、熱交換器。
【請求項２】
前記清掃装置のスクレーパの中央には貫通孔が開設してあり、複数の熱交換チューブが前記貫通孔を貫通可能であることを特徴とする、請求項１に記載の熱交換器。
【請求項３】
更に、前記複数の熱交換チューブの上方には水散し装置が設けてあり、前記水散し装置には入水管が設けてあり、前記入水管には複数の水散し管が連結しており、前記水散し管の周面が水遮りマスクに覆われ、前記水遮りマスクは熱交換チューブに向いている開口を有し、そして前記水散し管には噴水穴が複数に開設してあることを特徴とする、請求項１に記載の熱交換器。
【請求項４】
前記入水管が前記熱交換チューブに平行しており、前記入水管に連結された水散し管が前記熱交換チューブに垂直しており、そして前記水散し管の末端には水止めカバーが設けてあることを特徴とする、請求項１に記載の熱交換器。
【請求項５】
前記清掃装置の移動プレートは、前記後固定プレートに設けられた駆動組に駆動され、モータ装置と、スプロケット組が設けてあり、前記モータ装置は前記スプロケット組を駆動可能であり、前記スプロケット組は、前記移動プレートを駆動するギアと、複数のローラチェーンと、複数の滑り車を含むことを特徴とする、請求項１に記載の熱交換器。
【考案の詳細な説明】
【技術分野】
【０００１】
本考案は、熱交換器に係り、特に、熱交換効率が従来のものより更に高くなる熱交換器に関するものである。
【背景技術】
【０００２】
目下、熱交換器は、各種類の設備やシステム（例えば自動化産業設備、空気調和設備や冷却系統など）に広汎に応用され、且つ水冷式熱交換器と、空気冷却式熱交換器との二種類に分けられ、且つ水冷式熱交換器は、シェル式熱交換器と、巻管式熱交換器とに分けられ、なお、上記の各種類の熱交換器が超時期に使用されたと汚れや埃が付着され、熱交換効率が降下し、これにより、エネルギーが大量に損失するようになり、ランニングコストが増加し、このような課題を解決するために、本願の出願人は台湾特許第０９５２０８８９１号の「清掃装置付き熱交換器」を提案し、上記の「清掃装置付き熱交換器」によれば、清掃手段が簡素化になり、放熱効果が向上し、エネルギーのロスを低減可能である。
【特許文献１】台湾特許第０９５２０８８９１号
【考案の開示】
【考案が解決しようとする課題】
【０００３】
本考案の主な目的は、清掃装置と水散し装置とにより、熱交換器に付着した汚れや埃を除去可能であり、熱交換チューブの放熱効果が更に良くなり、エネルギーのロスを更に低減可能であり、設備の使用寿命が更に長くなる熱交換器を提供することにある。
【課題を解決するための手段】
【０００４】
上記目的を達成するためになされた本願の考案は、複数の熱交換チューブと、清掃装置を含む熱交換器において、前記複数の熱交換チューブは、互いに平行しており、その両端に前固定プレートと後固定プレートとがそれぞれ設けてあり、前記清掃装置は、熱交換器に設けられ、前記熱交換チューブの間に移動可能であり、移動プレートと、複数のスクレーパと、少なくとも二つの止めプレートを含み、前記移動プレートの内部には前記移動プレートを貫通した収容穴が複数に開設してあり、前記複数の収容穴にはスクレーパおよび熱交換チューブがそれぞれ収容してあり、前記移動プレートの両側に止めプレートがそれぞれ設けてあり、前記各止めプレートには前記移動プレートの収容穴の位置および数量に対応する貫通孔が開設してあり、前記貫通孔の直径は前記収容穴の直径よりも小さく、これにより、前記各スクレーパが前記二つの止めプレートに拘束されることを特徴とする、熱交換器であることを要旨としている。
【０００５】
本願の考案では、前記清掃装置のスクレーパの中央には貫通孔が開設してあり、複数の熱交換チューブが前記貫通孔を貫通可能であることを特徴とする、請求項１に記載の熱交換器であることを要旨としている。
【０００６】
本願の考案では、更に、前記複数の熱交換チューブの上方には水散し装置が設けてあり、前記水散し装置には入水管が設けてあり、前記入水管には複数の水散し管が連結しており、前記水散し管の周面が水遮りマスクに覆われ、前記水遮りマスクは熱交換チューブに向いている開口を有し、そして前記水散し管には噴水穴が複数に開設してあることを特徴とする、請求項１に記載の熱交換器であることを要旨としている。
【０００７】
本願の考案では、前記入水管が前記熱交換チューブに平行しており、前記入水管に連結された水散し管が前記熱交換チューブに垂直しており、そして前記水散し管の末端には水止めカバーが設けてあることを特徴とする、請求項１に記載の熱交換器であることを要旨としている。
【０００８】
本願の考案では、前記清掃装置の移動プレートは、前記後固定プレートに設けられた駆動組に駆動され、モータ装置と、スプロケット組が設けてあり、前記モータ装置は前記スプロケット組を駆動可能であり、前記スプロケット組は、前記移動プレートを駆動するギアと、複数のローラチェーンと、複数の滑り車を含むことを特徴とする、請求項１に記載の熱交換器であることを要旨としている。
【考案の効果】
【０００９】
本考案の熱交換器によれば、熱交換器に付着した汚れや埃を除去可能であり、熱交換チューブの放熱効果が更に良くなり、エネルギーのロスを更に低減可能であり、設備の使用寿命が更に長くなるという効果を有する。
【考案を実施するための最良の形態】
【００１０】
以下、添付図面を参照して本考案の好適な実施の形態を詳細に説明する。
【００１１】
まず、図１乃至図３を参照する。本考案の熱交換器は、当該熱交換装置１０は、プレート形状を呈する前固定プレート１１と、プレート形状を呈する後固定プレート１２と、互いに平行している複数の熱交換チューブ１３を含み、各熱交換チューブ１３の両端がそれぞれ前記前固定プレート１１と後固定プレート１２とに挿入され、前記複数の熱交換チューブ１３が一つの清掃装置２０に貫入される。
【００１２】
また、図２乃至図４に示すように、清掃装置２０は、プレート形状を呈する移動プレート２１と、円形を呈する複数のスクレーパ２２と、矩形を呈する少なくとも二つの止めプレート２３を含み、前記移動プレート２１の内部には前記移動プレート２１を貫通した収容穴２１０が複数に開設してあり、前記複数の収容穴２１０にはスクレーパ２２がそれぞれ収容してあり、前記スクレーパ２２の中央に貫入穴２２０が開設してあり、前記貫入穴２２０に複数の熱交換チューブ１３を挿入可能であり、前記移動プレート２１の両側に止めプレート２３がそれぞれ設けてあり、前記止めプレート２３によりスクレーパ２２が拘束され、また、前記各止めプレート２３には前記移動プレート２１の収容穴２１０の位置および数量に対応する貫通孔２３０が開設してあり、前記貫通孔２３０の直径は前記収容穴２１０の直径よりも小さい。
【００１３】
また、図２、図３及び図５に示すように、前記複数の熱交換チューブ１３の上方には水散し装置３０が設けてあり、前記水散し装置３０には熱交換チューブ１３に平行している入水管３１が設けてあり、前記入水管３１には熱交換チューブ１３に垂直している複数の水散し管３２が連結しており、前記水散し管３２の周面がコ字形な断面形状を呈する水遮りマスク３３に覆われ、前記水遮りマスク３３は熱交換チューブ１３に向いている開口を有し、そして前記水散し管１３は、水遮りマスク３３の両側に噴水穴３２０が複数に開設してあり、前記水散し管１３の末端には水止めカバー３４が設けてある。
【００１４】
また、図１を参照する。前記清掃装置２０の移動プレート２１は、前記後固定プレート１２に設けられた駆動組４０に駆動され、モータ装置４１と、スプロケット組４２が設けてあり、前記モータ装置４１は前記スプロケット組４２を駆動可能であり、前記スプロケット組４２は、前記移動プレート２１を駆動するギア４２０と、複数の滑り車４２１と、複数のローラチェーン４２２を含み、なお、前記駆動組４０の構造は周知の技術なので、詳細な構造の説明を省略した。
【００１５】
また、図６及び図７に示すように、移動プレート２１にあるスクレーパ２２が移動プレート２１を移動しながら熱交換チューブ１３に付着した汚れや埃が除去され、このとき、水散し装置３０により入水管３１からの水が各水散し管３２を経て複数の噴水穴３２０から外部に噴出し、噴出される水は、水遮りマスク３３の内面に止められて、コ字形の断面形状を呈する水遮りマスク３３の開口から熱交換チューブ１３へ散らされて、熱交換チューブ１３を清掃する。
【図面の簡単な説明】
【００１６】
【図１】本考案の上面図
【図２】本考案の一部の分解斜視図
【図３】図２における清掃装置の一部の分解斜視図
【図４】図２における清掃装置の一部の分解斜視図
【図５】図２における水散し装置の一部の斜視図
【図６】本考案の使用状態を示す概略図
【図７】図５の一部の構造を示す概略図
【符号の説明】
【００１７】
１０      熱交換装置                                          
１１      前固定プレート
１２      後固定プレート                        
１３      熱交換チューブ
２０      清掃装置                                              
２１      移動プレート
２２      スクレーパ                                          
２３      止めプレート
３０      水散し装置                                          
３１      入水管路
３２      水散しチューブ                        
３３      水遮りマスク
３４      水止めカバー                                       
４０      駆動組
４１      モータ装置                                          
４２      スプロケット組
２１０    収容穴                                                  
２２０    貫入穴
２３０    貫通孔                                                  
３２０    噴水穴
４２０    ギア                                                                
４２１    滑り車
４２２    ローラチェーン
【図１】
0003140954.tif 000003
【図２】
0003140954.tif 000004
【図３】
0003140954.tif 000005
【図４】
0003140954.tif 000006
【図５】
0003140954.tif 000007
【図６】
0003140954.tif 000008
【図７】
0003140954.tif 000009